【手続補正書】
【提出日】平成17年2月18日(2005.2.18)
【手続補正１】
【補正対象書類名】明細書
【補正対象項目名】特許請求の範囲
【補正方法】変更
【補正の内容】
【特許請求の範囲】
【請求項１】
ネットワークを介して、特許明細書を作成者が作成する場合に、その特許明細書の作成を支援するサービスに使用され、あらかじめ設定した記載項目を備えると共に段階的に設定された明細書記載フェーズを選択して特許明細書を作成するための特許明細書作成支援サーバであって、
作成者の特許明細書の作成経験を、表示項目を選択することで確認する作成経験確認手段と、
前記特許明細書に記載する発明内容のレベルを、表示項目を選択することで確認する発明レベル確認手段と、
前記作成経験と前記発明内容のレベルとを確認した結果に基づいて、段階的に設定された前記明細書記載フェーズの一つを選択する最適明細書記載フェーズ選択手段と、
この最適明細書記載フェーズ選択手段により選択した明細書記載フェーズに対して、前記記載項目の内容の加筆または／および変更を行う加筆変更手段と、
選択した前記明細書記載フェーズ別に備える前記記載項目を、前記明細書記載フェーズ間の記載項目に対して、段階的に対応させて反映させるように、前記記載項目の内容を設定する記載内容反映手段と、を備えることを特徴とする特許明細書作成支援サーバ。
【請求項２】
発明毎に全ての明細書記載フェーズでの全ての前記記載項目別に前記記載項目の内容の加筆または／および変更の履歴を管理記憶する記載履歴管理記憶手段と、この記載履歴管理記憶手段に基づいて前記特許明細書の作成作業での進捗状況を管理する進捗状況管理手段と、を更に備えることを特徴とする請求項１に記載の特許明細書作成支援サーバ。
【請求項３】
発明が共同発明の場合において、共同発明者が同時に前記記載項目の内容の加筆または／および変更を行うことを禁止する排他制御手段と、を更に備えることを特徴とする請求項１または請求項２に記載の特許明細書作成支援サーバ。
【請求項４】
前記選択した明細書記載フェーズにおいて前記作成者が記載した問合せ情報に対するアドバイス文章を記憶するアドバイス文書記憶部と、このアドバイス文章記憶部に前記問合せ情報を記載して作成する問合せ情報作成手段とを備えることを特徴とする請求項１ないし請求項３のいずれか一項に記載の特許明細書作成支援サーバ。
【請求項５】
前記明細書記載フェーズの記載項目に対して、少なくとも操作ガイド、基本文型および参考公報についてのガイドを提示するガイド提示手段と、前記ガイドの内容を適時追加または／および変更して記憶更新するガイド記憶更新手段と、を更に備えることを特徴とする請求項１ないし請求項４のいずれか一項に記載の特許明細書作成支援サーバ。
【請求項６】
ネットワークを介して、特許明細書を作成者が作成する場合に特許明細書の作成を支援するサービスに使用され、あらかじめ設定した記載項目を備えると共に段階的に設定された明細書記載フェーズを選択して特許明細書を作成するために、コンピュータを、
作成者の特許明細書の作成経験を、表示項目を選択することで確認する作成経験確認手段、
前記作成者の発明内容のレベルを、表示項目を選択することで確認する発明レベル確認手段、
前記作成経験と前記発明内容のレベルとを確認した結果に基づいて、段階的に設定された前記明細書記載フェーズの一つを選択する最適明細書記載フェーズ選択手段、
この最適明細書記載フェーズ選択手段により選択した明細書記載フェーズに対して、前記記載項目の内容の加筆または／および変更を行う加筆変更手段、
選択した前記明細書記載フェーズ別に備える前記記載項目を、前記明細書記載フェーズ間の記載項目に対して、段階的に対応させて反映させるように、前記記載項目の内容を設定する記載内容反映手段、として機能させることを特徴とする特許明細書作成支援プログラム。
【手続補正２】
【補正対象書類名】明細書
【補正対象項目名】０００２
【補正方法】変更
【補正の内容】
【０００２】
【従来の技術】
一般に、特許出願を行う企業では、職務発明を行う可能性のある社員に対して、入社時や職務発明を行う可能性のある職場に配属された時に特許に関する参考書の配布、勉強会の実施、外部セミナーへの参加等により、特許明細書を作成する方法に関する教育を実施している。しかし、実際に職務発明を行った場合、発明者自身がその発明を特許明細書に仕上げるには、相当の知識と実務経験が必要であるため、特許明細書の作成作業は容易ではない。また、知的財産部の担当者や、外部の特許事務所の担当者などとやりとりしながら特許明細書を作成する場合でも、発明者が特許明細書作成の経験が少ない場合には、特許明細書完成までに非常に多くの時間を要すると共に、内容が十分にならないことが多い。そこで、特許明細書の作成支援のための方法および手段が数々提案されている。
【手続補正３】
【補正対象書類名】明細書
【補正対象項目名】０００９
【補正方法】変更
【補正の内容】
【０００９】
本発明は、前記の課題に鑑みて創案されたものであり、発明者の明細書作成経験および発明の内容の充実度等を考慮した特許明細書作成の支援を行い、また、各段階間での整合性を保証し、進捗状況が管理でき、かつ通信ネットワークに接続した端末であれば、特許明細書の作成作業のサポートを受けることができ、更に、共同発明にも適切に対処でき、また、ガイド等も適切に変更できる特許明細書作成支援サーバおよびそのプログラムを提供することにある。
【手続補正４】
【補正対象書類名】明細書
【補正対象項目名】００１０
【補正方法】変更
【補正の内容】
【００１０】
【課題を解決するための手段】
本発明に係る特許明細書作成支援サーバは、ネットワークを介して、特許明細書を作成者が作成する場合に、その特許明細書の作成を支援するサービスに使用され、あらかじめ設定した記載項目を備えると共に段階的に設定された明細書記載フェーズを選択して特許明細書を作成するための特許明細書作成支援サーバであって、作成者の特許明細書の作成経験を、表示項目を選択することで確認する作成経験確認手段と、前記特許明細書に記載する発明内容のレベルを、表示項目を選択することで確認する発明レベル確認手段と、前記作成経験と前記発明内容のレベルとを確認した結果に基づいて、段階的に設定された前記明細書記載フェーズの一つを選択するための最適明細書記載フェーズ選択手段と、この最適明細書記載フェーズ選択手段により選択した明細書記載フェーズに対して、前記記載項目の内容の加筆または／および変更を行う加筆変更手段と、選択した前記明細書記載フェーズ別に備える前記記載項目を、前記明細書記載フェーズ間の記載項目に対して、段階的に対応させて反映させるように、前記記載項目の内容を設定する記載内容反映手段と、を備える構成とした。
【手続補正５】
【補正対象書類名】明細書
【補正対象項目名】００１２
【補正方法】変更
【補正の内容】
【００１２】
また、特許明細書作成支援サーバは、発明毎に全ての明細書記載フェーズでの全ての前記記載項目別に前記記載項目の内容の加筆または／および変更の履歴を管理記憶する記載履歴管理記憶手段と、この記載履歴管理記憶手段に基づいて前記特許明細書の作成作業での進捗状況を管理する進捗状況管理手段と、を更に備える構成とした。
【手続補正６】
【補正対象書類名】明細書
【補正対象項目名】００１４
【補正方法】変更
【補正の内容】
【００１４】
更に、特許明細書作成支援サーバは、発明が共同発明の場合において、共同発明者が同時に前記記載項目の内容の加筆または／および変更を行うことを禁止する排他制御手段と、を更に備える構成とした。
【手続補正７】
【補正対象書類名】明細書
【補正対象項目名】００１６
【補正方法】変更
【補正の内容】
【００１６】
また、特許明細書作成支援サーバは、前記選択した明細書記載フェーズにおいて前記作成者が記載した問合せ情報に対するアドバイス文章を記憶するアドバイス文書記憶部と、このアドバイス文章記憶部に前記問合せ情報を記載して作成する問合せ情報作成手段とを備える。
【手続補正８】
【補正対象書類名】明細書
【補正対象項目名】００１８
【補正方法】変更
【補正の内容】
【００１８】
そして、特許明細書作成支援サーバは、前記明細書記載フェーズの記載項目に対して、少なくとも操作ガイド、基本文型および参考公報についてのガイドを提示するガイド提示手段と、前記ガイドの内容を適時追加または／および変更して記憶更新するガイド記憶更新手段と、を更に備える構成とした。
【手続補正９】
【補正対象書類名】明細書
【補正対象項目名】００２０
【補正方法】変更
【補正の内容】
【００２０】
また、ネットワークを介して、特許明細書を作成者が作成する場合に特許明細書の作成を支援するサービスに使用され、あらかじめ設定した記載項目を備えると共に段階的に設定された明細書記載フェーズを選択して特許明細書を作成するために、コンピュータを、以下の各手段により機能させる特許明細書作成支援プログラムとした。すなわち、各手段は、作成者の特許明細書の作成経験を、表示項目を選択することで確認する作成経験確認手段、前記作成者の発明内容のレベルを、表示項目を選択することで確認する発明レベル確認手段、前記作成経験と前記発明内容のレベルとを確認した結果に基づいて、段階的に設定された前記明細書記載フェーズの一つを選択するための最適明細書記載フェーズ選択手段、この最適明細書記載フェーズ選択手段により選択した明細書記載フェーズに対して、前記記載項目の内容の加筆または／および変更を行う加筆変更手段、選択した前記明細書記載フェーズ別に備える前記記載項目を、前記明細書記載フェーズ間の記載項目に対して、段階的に対応させて反映させるように、前記記載項目の内容を設定する記載内容反映手段、である。
【手続補正１０】
【補正対象書類名】明細書
【補正対象項目名】００２２
【補正方法】変更
【補正の内容】
【００２２】
なお、特許明細書作成支援プログラムは、更に、前記発明毎に全ての明細書記載フェーズでの全ての前記記載項目別に前記記載項目の内容の加筆または／および変更の履歴を管理記憶するための記載履歴管理記憶手段に基づいて前記特許明細書の作成作業での進捗状況を管理するための進捗状況管理手段、を更に有する構成としてもよい。
【手続補正１１】
【補正対象書類名】明細書
【補正対象項目名】００３５
【補正方法】変更
【補正の内容】
【００３５】
最適明細書記載フェーズ選択手段は、特許明細書の作成者との間でのインターラクティブなやり取りから得られた特許明細書の作成者の明細書作成経験情報と発明内容のレベルから段階的に特許明細書の作成を行うために、発明の内容を記載するための記載項目を複数備えると共に段階的に設定された明細書記載フェーズから、発明者の作成経験に対応して最適な明細書記載フェーズを選択するものである。なお、この最適明細書記載フェーズ選択手段は、ここでは、３種類の特許明細書記載フェーズ内で最適な特許明細書記載フェーズを選択するように構成されている。ただし、発明者は、最適明細書記載フェーズ選択手段により最初にフェーズ選択はするものの、実際の特許明細書作成においては、どの明細書記載フェーズのどの記載項目から記載しても良いし、実際には記載できる記載項目から書く方が効率的である。
【手続補正１２】
【補正対象書類名】明細書
【補正対象項目名】００６２
【補正方法】変更
【補正の内容】
【００６２】
本発明のサービスに初めてログインした特許明細書の作成者（発明者）または新規発明を行った特許明細書の作成者（発明者）には、発明者端末１２０（図１）のブラウザ上に「明細書記載フェーズ選択フロー画面例」（図４）を表示する。作成経験手段の確認は、発明者に図４で示す画面を全て見せて、発明者本人に記載すべき記載項目を表示した内容を理解させた上で、フェーズを選択させることでも良いが、ここでは以下のような手順で行っている。すなわち、特許明細書の作成者（発明者）は、表示画面の上位に表示した質問から回答していく。「特許明細書作成の経験はありますか？」（Ｓ４０１）という質問の表示に対して、「経験がない、または少ない」表示をマウスポインタで選定してマウスで左クリックすると第１フェーズが選択される。
【手続補正１３】
【補正対象書類名】明細書
【補正対象項目名】００８６
【補正方法】変更
【補正の内容】
【００８６】
【発明の効果】
本発明は以上のように構成したので、以下に示す効果を奏する。特許明細書作成支援サーバあるいは特許明細書作成支援プログラムは、特許明細書の作成者の明細書作成経験および発明の内容の充実度等による影響を最小限として、発明者の特許明細書の経験および発明内容のレベルに合わせて段階的に記載項目のレベルを向上させ、最終的に特許明細書を作成することができる。また、特許明細書の記載項目に対する統一性を図り、担当者等が校閲して出願するときに作業がしやすくなる。更に、発明者と知的財産部の担当者や外部の特許事務所の担当者との対話形式機能により、時間と場所に関わらず、特許明細書の作成を行うことができる。